(57)【要約】【課題】釣用スプーンを互いに傷付けあうことなく整理された状態で収納・保持させておくことができる釣用スプーン収納ケースの提供。【解決手段】長さ方向と交差する方向に適宜間隔をおいて頂面３３から下面３４方向へと刻入された複数条の保持用スリット３２を介して釣用スプーン１におけるボディ１ａを各別に保持する弾性保持体３１と、該弾性保持体３１側にボディ１ａを保持させた個々の釣り用スプーン１が備えるフックが位置する部位に配設されて該フックを磁着するマグネット体４１とをケース１１内に設けた。この場合、ケース１１は、一側ケース部１２と他側ケース部２２とで構成し、弾性保持体３１は、閉蓋時にお互いに一方の側の頂面３３が他方の側が保持しているボディ１ａ側と接触する座高を付与して一側ケース部１２と他側ケース部２２とに配設するのが好ましい。【選択図】図１
2010136673.tif 000002
【特許請求の範囲】
【請求項１】
長さ方向と交差する方向に適宜間隔をおいて頂面から下面方向へと刻入された複数条の保持用スリットを介して釣用スプーンにおけるボディを各別に保持する弾性保持体と、該弾性保持体側に前記ボディを保持させた際に個々の釣り用スプーンが備えるフックが位置する部位に配設されて該フックを磁着するマグネット体とをケース内に設けたことを特徴とする釣用スプーン収納ケース。
【請求項２】
前記ケースは、見開き状に連結された一側ケース部と他側ケース部とで構成され、
前記弾性保持体は、前記ケースを閉じた際にお互いに一方の側の前記頂面が他方の側が保持している前記ボディ側と接触する座高を付与して前記一側ケース部と前記他側ケース部とに配設した請求項１に記載の釣用スプーン収納ケース。
【請求項３】
前記保持用スリットのそれぞれは、その奥端側と連通させて保持力を調整する調整用孔を備える請求項１または２に記載の釣用スプーン収納ケース。
【請求項４】
前記弾性保持体における前記保持用スリット相互間には、挟み圧を調整するための調整用孔を設けた請求項１ないし３のいずれかに記載の釣用スプーン収納ケース。
【請求項５】
前記弾性保持体は、前記保持用スリットの始端位置を教示するガイドカットを前記頂面側に備える請求項１ないし４のいずれかに記載の釣用スプーン収納ケース。
【発明の詳細な説明】
【技術分野】
【０００１】
本発明は、複数個の釣用スプーンを相互が傷付けあうことなく使い勝手良く整理された状態のもとで収納・保持させておくことができる釣用スプーン収納ケースに関する技術である。
【背景技術】
【０００２】
図６は、釣用スプーンを例示した説明図であり、そのうちの（ａ）は、基本形を、（ｂ）は、魚へのフッキングがよりしやすく、しかもバラしにくい改良タイプのものをそれぞれ示す。
【０００３】
そのうち、図６（ａ）に示す釣用スプーン１の全体は、略扁平形状や略湾曲形状を呈してなるボディー１ａと、該ボディー１ａの先端側に取り付けられたスプリットリング１ｂと、ボディー１ａの後端側に取り付けられたスプリットリング１ｃを介して連結されたフック１ｄとを備えて形成されている。
【０００４】
また、図６（ｂ）に示す釣用スプーン１の全体は、略扁平形状や略湾曲形状を呈してなるボディー１ａと、該ボディー１ａの先端側に取り付けられたスプリットリング１ｂと、ボディー１ａの後端側に取り付けられたスプリットリング１ｃに２本の連結紐１ｅの一端側を各別に結び付け、それぞれの他端側をフック１ｄに各別に結び付けて形成されている。
【０００５】
このような構造を備える釣用スプーン１は、通常、ケースを仕切り板で仕切った各収納部にそれぞれ各複数個入れた上で携帯される。しかし、このような収納方法による場合には、例えば釣行時にケースが揺れたりした際に、各収納部内の一方の釣用スプーン１のフック１ｄが他方の釣用スプーン１のボディー１ａに接触するなどして、ボディー１ａを傷付けたりフック１ｄの針先を甘くしたりするという問題があった。
【０００６】
このような問題を解決するものとしては、例えば下記特許文献１に開示されているように、個々の釣用スプーン１を動かないようにして収納することができるようにした収納ケースも既に提案されている。
【特許文献１】特開平８−２１４７４９号公報
【０００７】
図７は、上記特許文献１に開示されている収納ケースを再掲して示す全体斜視図であり、開閉自在な蓋体３を備えるケース本体２内には、例えば図６（ａ）に示すタイプの釣用スプーン１が個別に掛止板４と保持体７とに位置固定されている。
【０００８】
このうち、横長の板状を呈してその上面に柔軟性のある合成樹脂シート５が付設されている掛止板４には、その高さ方向に適宜間隔おいて形成された略長Ｕ字形を呈する通し溝６が形成されている。
【０００９】
また、柔軟性やゴム弾性を有して横長の角柱形状を呈する保持体７には、その高さ方向に傾斜させて形成された複数列の挟み溝８が形成されている。
【００１０】
このため、複数個の釣用スプーン１は、それぞれのフック１ｄを対応する通し溝６に各別に通してその針先を掛止板４に掛止させ、それぞれのボディー１ａも対応する挟み溝８に各別に挟み込むことにより保持体７に保持させることができる。
【００１１】
したがって、複数個の釣用スプーン１は、移動しないように掛止板４と保持体７とに位置固定させるておくことで、釣用スプーン１同志が絡み合ったり傷を付けあったりすることをなくしてケース本体２内に見易い状態のもとで収納しておくことができる。
【発明の開示】
【発明が解決しようとする課題】
【００１２】
しかし、図７に示す収納ケースによる場合には、掛止板４と保持体７とが必要になり、構造が複雑化して製品コストを押し上げたり、フック１ｄを強く引っ張った際などに掛止板４を破損し易いなどの不具合があった。
【００１３】
また、図７に示す収納ケースによる場合には、２本の連結紐１ｅを介して２個のフック１ｄを備えている図６（ｂ）に示す釣用スプーン１を収納する際に、掛止板４に２個のフック１ｄを各別に掛止させようとしても通し溝６との関係でその取り扱いが難しくなる不具合があった。
【００１４】
本発明は、従来技術の上記課題に鑑み、その全体構造を簡素化するなかで、図６（ａ）と図６（ｂ）とのいずれのタイプの釣用スプーンに対しても複数個の釣用スプーンを相互が傷付けあうことなく使い勝手良く整理された状態のもとで収納・保持させておくことができる釣用スプーン収納ケースを提供することにその目的がある。
【課題を解決するための手段】
【００１５】
本発明は、上記目的を達成すべくなされたものであり、長さ方向と交差する方向に適宜間隔をおいて頂面から下面方向へと刻入された複数条の保持用スリットを介して釣用スプーンにおけるボディを各別に保持する弾性保持体と、該弾性保持体側に前記ボディを保持させた際に個々の釣り用スプーンが備えるフックが位置する部位に配設されて該フックを磁着するマグネット体とをケース内に設けたことを最も主要な特徴とする。
【００１６】
この場合、前記ケースは、見開き状に連結された一側ケース部と他側ケース部とで構成し、前記弾性保持体は、前記ケースを閉じた際にお互いに一方の側の前記頂面が他方の側が保持している前記ボディ側と接触する座高を付与して前記一側ケース部と前記他側ケース部とに配設するのが好ましい。
【００１７】
また、前記保持用スリットのそれぞれには、その奥端側と連通させて保持力を調整する調整用孔を具備させることができる。さらに、前記弾性保持体における前記保持用スリット相互間には、挟み圧を調整するための調整用孔を設けておくこともできる。さらにまた、前記弾性保持体には、前記保持用スリットの始端位置を教示するガイドカットを前記頂面側に設けておくのが好ましい。
【発明の効果】
【００１８】
本発明によれば、ケース内には、複数条の保持用スリットを備える弾性保持体と、フック側を磁着するマグネット体とが設けられているので、個々の保持用スリットを介して釣用スプーンにおけるボディを各別に保持させておくことができるだけでなく、それぞれのフックもマグネット体に個別に磁着させることができるので、タイプを異にする釣用スプーンであっても相互が傷付けあうことなく使い勝手良く整理された状態のもとで収納・保持させておくことができる。
【００１９】
また、閉じた際にお互いに一方の側の頂面が他方の側が保持しているボディ側と接触するようして一側ケース部と他側ケース部とに弾性保持体を設けてある場合には、閉じて携行する際などに一方の弾性保持体を他方の弾性保持体が保持している釣用スプーンのボディを押さえ込むことができるので、より確実に抜け落ちを防止することができる。
【００２０】
さらに、保持用スリットがその奥端側と連通させた調整用孔を備えている場合には、該調整用孔の口径の大小により保持用スリットの保持力を所望に応じて変えることができる。また、弾性保持体における保持用スリット相互間に挟み圧を調整するための調整用孔を設けておくならば、スプーンにおけるボディの厚さや重さや弾性保持体自体の硬さとの関係で挟み圧を調整することができる。
【００２１】
さらにまた、保持用スリットの始端位置を教示するガイドカットを弾性保持体の頂面に設けてある場合には、該ガイドカットを目視確認することで各釣用スプーンのケース内への収納・保持作業をそれだけ円滑に行うことができる。
【発明を実施するための最良の形態】
【００２２】
図１は、本発明の一例を開蓋状態のもとで示す平面図であり、図２は、図１に示す一例の変形例を開蓋状態のもとで示す平面図であり、図３は、図１に示す弾性保持体のＡ−Ａ線矢視方向での断面構造を（ａ）〜（ｄ）としてパターン別に示す部分縦断面図であり、図４は、ケース内に釣用スプーンを収納・保持させた状態での断面構造を（ａ），（ｂ）としてパターン別に示す縦断面図である。
【００２３】
これらの図よれば、見開き状に連結された一側ケース部１２と他側ケース部２２とからなるケース１１と、該ケース１１内に設けられて釣用スプーン１のボディ１ａ側を保持する弾性保持体２１と、保持された釣用スプーン１のフック１ｄ側を磁着するマグネット体４１とでその全体が形成されている。
【００２４】
そのうち、ケース１１は、施蓋時に相互が対面合致する矩形形状などの平面形状を呈して形成されている一側ケース部１２と他側ケース部２２と、これら一側ケース部１２と他側ケース部２２とを開閉可能に連結する適宜構造のヒンジ部１１ａとで形成されている。
【００２５】
この場合、適宜の合成樹脂などからなる一側ケース部１２と他側ケース部２２とは、同一の所要面サイズが付与されて形成されている面板部１３，２３と、該面板部１３，２３の外周縁部を囲繞するようにして立設させた適宜高さの周壁部１４，２４とで形成されている。
【００２６】
また、一側ケース部１２における面板部１３の内側１３ａと、他側ケース部２２における面板部２３の内側２３ａとには、共にヒンジ部１１ａ側にやや近寄らせた位置での長さ方向に各１個の弾性保持体３１が配設されている。
【００２７】
そして、該弾性保持体３１は、ある程度の弾力性のある例えば発泡ポリスチレンなどからなる略角柱形状を呈する発泡弾性素材を用いて形成されている。
【００２８】
しかも、該弾性保持体３１は、長さ方向と交差（直交を含む。以下同じ。）し、かつ、厚さ方向に対し斜め方向に適宜間隔をおいて頂面３３から下面３４方向へと同方向に湾曲させて刻入された複数条、図示例では７条の保持用スリット３２を備えており、該保持用スリット３２を介して釣用スプーン１におけるボディ１ａを各別に保持できるようになっている。
【００２９】
このように保持用スリット３２がボディ１ａの曲面形状に沿うように湾曲させて刻入されている場合には、ボディ１ａの挿脱をより円滑に行うことができる。また、保持用スリット３２を下面３４方向に向けて斜行させてある場合には、ケース１１全体の厚さをそれだけ薄くしたり、釣用スプーン１の収納個数を増やすことができるばかりでなく、釣用スプーン１の模様パターン等を簡単に目視確認することができるので、使用に際しての選別を容易に行うこともできる。
【００３０】
また、一側ケース部１２側の弾性保持体３１と他側ケース部２２側の弾性保持体３１とは、図４に示すように閉じた際にお互いに一方の側の頂面３３が他方の側が保持しているボディ１ａ側と接触する座高が付与されて形成されてる。
【００３１】
しかも、保持用スリット３２のそれぞれには、各々の奥端３２ｂ側と連通させた位置関係のもとで弾性保持体３１の横幅方向（図３では前面から後面方向）に貫通させた保持力を調整するための保持力調整用孔３５が各別に設けられている。
【００３２】
また、保持用スリット３２のそれぞれは、釣用スプーン１の個々のボディ１ａの厚さなどを考慮して図３（ｃ）に示すように隙間を設けて形成しておくこともできる。
【００３３】
さらに、弾性保持体３１における保持用スリット３２，３２相互間には、図３（ｄ）に示すように挟み圧を調整するための挟み圧調整用孔３７を保持力調整用孔３５と同方向に向けて設けて、スプーン１におけるボディ１ａの厚さや重さ、さらには、弾性保持体３１自体の硬さとの関係で挟み圧を調整できるようにしておくこともできる。この場合、１つの弾性保持体３１における各挟み圧調整用孔３７は、孔形状や孔サイズを同一にして形成したり、異なるものを混在させたりするなど、所望に応じ適宜選択して形成しておくことができる。
【００３４】
また、施蓋時におけるケース１１内の釣用スプーン１におけるボディ１ａの配置関係を示す図４によれば、その（ａ）に示されているように上側に位置する一側ケース部１２側の弾性保持体３１と下側に位置する他側ケース部２２の側の弾性保持体３１とは、図１に示すように見開き状に開蓋させた際、いずれもその頂面３３側からボディ１ａの曲面に沿うように左下がり方向に湾曲させた複数個の保持用スリット３２が設けられている。
【００３５】
このため、一側ケース部１２側の弾性保持体３１に保持させてその上半部を突出させた釣用スプーン１のボディ１ａは、他側ケース部２２の側の弾性保持体３１の頂面３３と接触して押さえ込まれる。
【００３６】
また、他側ケース部２２側の弾性保持体３１に保持させてその上半部を突出させた釣用スプーン１のボディ１ａは、一側ケース部１２側の弾性保持体３１の頂面３３と接触して押さえ込まれる。このとき、双方のボディ１ａは、それぞれの突出部が相互に反対方向を向くようにして保持されることになる。
【００３７】
一方、図４（ｂ）によれば、上側に位置する一側ケース部１２側の弾性保持体３１と下側に位置する他側ケース部２２側の弾性保持体３１とは、図１に示すように見開き状に開蓋させた際に相互がその頂面３３側から反対方向に、つまり、一側ケース部１２側の弾性保持体３１が左下がり方向に湾曲させた位置関係となり、他側ケース部２２の側の弾性保持体３１が右下がり方向に湾曲させた位置関係となるようにして、それぞれに複数個の保持用スリット３２が設けられている。
【００３８】
このため、一側ケース部１２側の弾性保持体３１に保持させてその上半部を突出させた釣用スプーン１のボディ１ａは、図４（ａ）と同様に他側ケース部２２の側の弾性保持体３１の頂面３３と接触して押さえ込まれ、他側ケース部２２側の弾性保持体３１に保持させてその上半部を突出させた釣用スプーン１のボディ１ａは、一側ケース部１２の側の弾性保持体３１の頂面３３と接触して押さえ込まれる。このとき、双方のボディ１ａは、それぞれの突出部が相互に同一方向を向くようにして保持されることになる。
【００３９】
しかも、各弾性保持体３１の頂面３３には、保持用スリット３２の始端３２ａ位置を教示すべく該始端３２ａへと向けて切除されたガイドカット３６が設けられている。
【００４０】
一方、マグネット体４１は、一側ケース部１２の弾性保持体３１と他側ケース部２２の弾性保持体３１とに各別に沿わせて配設されている。具体的には、それぞれの弾性保持体３１から離れた適宜位置の面板部１３，２３にマグネット体４１がそれぞれ配設されている。
【００４１】
該マグネット体４１は、所要の永久的な磁力を備えるものであれば特にその材質を問わないものの、多極の縞状磁極が着磁されて磁力も適当で、コスト的にも希土類のネオジウムマグネット程には高くない、比較的軽量で可撓性に富むネオジウムラバーマグネットを好適に用いることができる。
【００４２】
このため、釣用スプーン１は、ボディ１ａにスプリットリング１ｃを介して１個のフック１ｄを直結させたタイプのものや、ボディ１ａにスプリットリング１ｃを介して２本の連結紐１ｅを結び付け、それぞれの連結紐１ｅにフック１ｄを各別に連結させたタイプのものであっても、各フック１ｄをマグネット体４１に安定的に磁着させることができることになる。
【００４３】
図２は、図１に示す本発明の一例についての変形例を開蓋状態のもとで示す平面図であり、図１に示す例とは、右側に位置する他側ケース部２２内に配置されるマグネット体４１をヒンジ部１１ａ近傍に位置させ、弾性保持体３１をやや右寄りに配置した点で異なるのみであり、他の構成は同一である。図２に示す変形例を採用する場合には、施蓋時に一側ケース部１２側のフック１ｄと側ケース部２２側のフック１ｄとが接触するのを効果的に回避させることができることになる。
【００４４】
図５は、本発明の他例を開蓋状態のもとで示す平面図であり、弾性保持体３２とマグネット体４１とは、図１ないし図４に示すものと同じ構造を備えたものが用いられている。図１に示す例とは、一側ケース部１２と他側ケース部２２とにその配置関係を異ならせた各２個の弾性保持体３１とマグネット体４１とを各別に配設した点で異なるだけであり、図１との同一部位には同一の引出し符号を付してその説明を省略する。
【００４５】
この場合、ケース１１側のサイズは、図１と同サイズとすることで、より小型な釣用スプーン１の収納個数を増やすようにしたり、ケース１１側のサイズは、図１に示す例よりも大きくすることで、図１に示すケース１１が収容する釣用スプーン１と略同じサイズのものをより多く収納・保持できるようにしてもよい。
【００４６】
次に、図１ないし図４を参照して本発明の作用・効果を説明すれば、図１に示すようにケース１１を見開き状に開けて、弾性保持体３１の各保持用スリット３２に釣用スプーン１におけるボディ１ａ側を各別に差し込むことができる。
【００４７】
この場合、各弾性保持体３１の頂面３３には、ガイドカット３６が設けられているので、該ガイドカット３６により保持用スリット３２の始端３２ａ位置を簡単に見出してボディ１ａ側を容易に差し込むことができる。
【００４８】
また、各弾性保持体３１が備える保持用スリット３２は、斜め方向に刻入されているので、ボディ１ａを保持させた際の全体厚みをそれだけ低くすることができるのみならず、ボディ１ａの抜き差しを円滑に行うことができるほか、釣用スプーン１のタイプも容易に見分けることもできる。
【００４９】
さらに、保持用スリット３２の奥端３２ｂは、調整用孔３５と連通させてあるので、該調整用孔３５の口径を適宜選択することで、保持用スリット３２により生成される保持力を所望に応じて調整することができる。
【００５０】
しかも、釣用スプーン１が図６（ａ）に示す１個のフック１ｄを備えるタイプと、図６（ｂ）に示す連結紐１ｅを介して２個のフック１ｄを備えるタイプとのいずれのタイプであっても、保持用スリット３２にボディ１ａを保持させて上で、各フック１ｄをマグネット体３１に安定的に磁着させておくことができる。
【００５１】
また、ケース１１を閉じた際には、図３に示すようにお互いに一方の側の弾性保持体３１の頂面３３が他方の側の弾性保持体３１が保持しているボディ１ａ側と接触させることで、釣用スプーン１のボディ１ａを押さえ込むことができるので、より確実に抜け落ちを防止した状態のもとで安心して携行することができる。
【００５２】
つまり、本発明によれば、ケース１１内には、複数条の保持用スリット３２を備える弾性保持体３１と、フック１ｄ側を磁着するマグネット体４１とが設けられているので、個々の保持用スリット３１を介して釣用スプーン１におけるボディ１ａ側を各別に保持させておくことができるだけでなく、それぞれのフック１ｄ側もマグネット体４１に個別に磁着させておくことができるので、タイプを異にする釣用スプーン１であっても相互が傷付けあうことなく使い勝手良く整理された状態のもとで収納・保持させておくことができることになる。
【００５３】
以上は、本発明を図示例に基づいて説明したものであり、その具体的な内容は、本発明の要旨を逸脱しない限り、種々の変形を加えることができる。例えば、挟持用スリットは、図示例では斜行しながら同方向に湾曲させたもののみが示されているが、直下方向や斜め方向に直行させたり、湾曲と直行とを混在させて設けてもよい。また、保持用スリット３２の奥端３２ｂは、調整用孔３５を備えないものであってもよい。さらに、ケース１１において釣用スプーン１と接触する面板部の内側領域には、図示は省略してあるが適宜厚さの弾性マットを敷設しておくこともできる。さらにまた、ケース１１は、図示例のような一側ケース部１２と他側ケース部２２とで構成せずに、一方をケース本体とし、他方を蓋体として形成し、弾性保持体３１とマグネット体４１とをケース本体側にのみ配設するものであってもよい。
【図面の簡単な説明】
【００５４】
【図１】本発明の一例を開蓋状態のもとで示す平面図。
【図２】図１の変形例を開蓋状態のもとで示す平面図。
【図３】図１に示す弾性保持体のＡ−Ａ線矢視方向での断面構造を（ａ）〜（ｄ）としてパターン別に示す部分縦断面図。
【図４】ケース内に釣用スプーンを収納・保持させた状態での断面構造を（ａ），（ｂ）としてパターン別に示す縦断面図。
【図５】本発明の他例を開蓋状態のもとで示す平面図。
【図６】釣用スプーンを例示した説明図であり、そのうちの（ａ）は、基本形を、（ｂ）は、改良タイプのものをそれぞれ示す。
【図７】特許文献１に開示されている収納ケースを再掲して示す全体斜視図。
【符号の説明】
【００５５】
１１  ケース
１１ａ  ヒンジ部
１２  一側ケース部
１３  面板部
１３ａ  内側
１４  周壁部
２２  他側ケース部
２３  面板部
２３ａ  内側
２４  周壁部
３１  弾性保持体
３２  保持用スリット
３２ａ  始端
３２ｂ  奥端
３３  頂面
３４  下面
３５  保持圧調整用孔
３６  ガイドカット
３７  挟み圧調整用孔
４１  マグネット体
【図１】
2010136673.tif 000003
【図２】
2010136673.tif 000004
【図３】
2010136673.tif 000005
【図４】
2010136673.tif 000006
【図５】
2010136673.tif 000007
【図６】
2010136673.tif 000008
【図７】
2010136673.tif 000009